(57)【要約】【課題】電源穴への電線の挿入が容易に行える取り付け構造を提供する。【解決手段】本体面２２は、水平方向に対となっている取付穴本体面取付穴２２２を上下方向に二対又は三対以上有する。三対以上の取付穴（本体面取付穴２２２）のいずれかを用いて本体２を被取付部に取り付ける。本体２は、対となっている取付穴（本体面取付穴２２２）の間に、電線ケーブルを通す本体面電源穴２２１を有し、本体面電源穴２２１は、上下方向に隣り合う二対以上の取付穴本体面取付穴２２２に対応して、一個設けられている。本体面電源穴２２１は、三本の電線を有する電線ケーブルを二本通すことができる穴サイズを有する。【選択図】図１７
2020119796.tif 000002
【特許請求の範囲】
【請求項１】
被取付部に取り付けられる本体面を有する本体を備え、
前記本体面は、上下方向に配置された二対以上の取付穴と、電線ケーブルを通す電源穴とを有し、
前記電源穴は、上下方向に隣り合う二対以上の取付穴に対応して、一個設けられている取り付け構造。
【請求項２】
前記取付穴は、対となっている取付穴を二対以上有し、
前記電源穴は、二対の取付穴の間に配置されている請求項１に記載の取り付け構造。
【請求項３】
前記電源穴は、三本の電線を有する電線ケーブルを二本通すことができる穴サイズを有する請求項１又は２に記載の取り付け構造。
【請求項４】
前記対となっている取付穴の間に前記電線ケーブルを二本通すことができる穴サイズの電源穴を上下方向に個別に形成できない場合、前記二対以上の取付穴に対応して前記電源穴が一個設けられている請求項３記載の取り付け構造。
【請求項５】
請求項１から４のいずれか１項に記載の取り付け構造を有する表示装置又は照明装置。
【発明の詳細な説明】
【技術分野】
【０００１】
本発明は、器具又は部品の取り付け構造、及び、取り付け方法に関するものである。また、非常時にも点灯する誘導灯等の表示装置、あるいは、光源を有する照明装置に関するものである。
【背景技術】
【０００２】
従来より、誘導灯などの表示装置は、壁への取付穴を上下２箇所に配置し、電線を通す中央電源穴も同様に上下２箇所配置していた。
【先行技術文献】
【特許文献】
【０００３】
【特許文献１】特開２０１８−１４２５２２号公報
【発明の概要】
【発明が解決しようとする課題】
【０００４】
しかしながら、特許文献１に記載の表示装置は、電源穴を上下２箇所配置していたが、取付穴の上下ピッチが狭くなる場合においては電源穴を取付穴の上下ピッチに対応して小さくする必要があった。電源穴が小さくなることで、電源穴への電線の挿入作業性が悪化し、電線を入れることが困難になる。
本発明は、電源穴への電線の挿入が容易に行える取り付け構造を提供することを目的とする。
【課題を解決するための手段】
【０００５】
本発明の一態様に係る取り付け構造は、
被取付部に取り付けられる本体面を有する本体を備え、
前記本体面は、上下方向に配置された二対以上の取付穴と、電線ケーブルを通す電源穴とを有し、
前記電源穴は、上下方向に隣り合う二対以上の取付穴に対応して、一個設けられていることを特徴とする。
【発明の効果】
【０００６】
本発明では、上下方向に隣り合う二対以上の取付穴に対応して、電源穴が一個設けられているので、電源穴を大きくすることができる。
【図面の簡単な説明】
【０００７】
【図１】実施の形態１の表示装置１を示す斜視図である。
【図２】実施の形態１の表示装置１を示す分解斜視図である。
【図３】実施の形態１の取付具３１の斜視図、分解斜視図である。
【図４】実施の形態１の取付具３１のネジのピッチ違いを示す図である。
【図５】実施の形態１のコントロールユニット４を示す斜視図である。
【図６】実施の形態１のコントロールユニット４の分解斜視図である。
【図７】実施の形態１の表示装置１の一方側の本体側部２９をなくした状態の斜視図である。
【図８】実施の形態１のコントロールユニット４を示す図である。
【図９】実施の形態１の図８に示すＡＡ部分の断面図である。
【図１０】実施の形態１のスイッチ釦４１３を示す斜視図である。
【図１１】実施の形態１のスイッチ釦４１３の五面図である。
【図１２】実施の形態１の表示装置１の光源部８と表示部９を外した状態を示す斜視図である。
【図１３】実施の形態１の表示装置１に別の蓄電池５Ａが収容された状態を示す斜視図である。
【図１４】実施の形態１の電源端子台６を示す斜視図である。
【図１５】実施の形態１の電源端子台６を設置部２６の設置スペースに取り付ける取り付け方法を示す図である。
【図１６】実施の形態１のサイズ違いの表示装置１に取付具３１を取り付ける図である。
【図１７】実施の形態１の図１６の大きいサイズの表示装置１の光源部８と表示部９を外した状態の図である。
【図１８】実施の形態１の筒部２４のリブの変形例を示す図である。
【図１９】実施の形態１の取付具３１の変形例を示す図である。
【図２０】実施の形態１の取付具３１の変形例を示す図である。
【図２１】実施の形態１の光源部８の斜視図である。
【図２２】実施の形態１の光源部８の五面図である。
【図２３】実施の形態１の光源モジュール８５１の五面図である。
【発明を実施するための形態】
【０００８】
以下、本発明の実施の形態について、図を用いて説明する。なお、各図中、同一又は相当する部分には、同一符号を付している。実施の形態の説明において、同一又は相当する部分については、その説明を適宜省略又は簡略化する。
【０００９】
実施の形態１．
図１は、本実施の形態を示す表示装置１の斜視図である。
図２は、表示装置１を示す分解斜視図である。
表示装置１は、例えば、非常時にも点灯する誘導灯である。
表示装置１は、光源を有する照明器具又は照明装置でもよい。
Ｘ方向は、水平左右方向であり、横方向という。
Ｙ方向は、垂直方向であり、上下方向という。
Ｙ方向は、水平前後方向であり、縦方向という。
【００１０】
（表示装置１：構成）
表示装置１は、少なくとも一面に開口を有する本体２と、本体２の内部に配設される補助金具３、コントロールユニット４、蓄電池５、電源端子台６ａ、電源端子台６ｂ、光源ハーネス７、本体２の開口面側に配設される光源部８、及び、表示部９を備える。
表示装置１は、少なくとも一つの表示部９を備える。
表示装置１は、表示部９を照射する少なくとも一つの光源部８を備える。
本体２は、コントロールユニット４及び蓄電池５を収納する。
コントロールユニット４は、光源部８を点灯する電力を供給し、商用電源からの電源入力時は蓄電池５を充電する。
コントロールユニット４は、商用電源の電源が遮断された場合、蓄電池５の電力を使用して光源部８を点灯させる電力を供給する。
表示装置１は、本体２を被取付部となる天井に固定する為の取付具３１を有する。
【００１１】
表示装置１は、商用電源からの電力を、電源端子台６ａ、及び、電源端子台６ｂを介してコントロールユニット４に供給する。
コントロールユニット４は、蓄電池５を充電する機能、及び、光源部８を点灯する機能（常用点灯）を有している。
【００１２】
（コントロールユニット４の点検機能）
また、コントロールユニット４は、商用電源からの電力供給が停止した場合、蓄電池５の電力を使用して光源部８を規定時間（２０分又は６０分）点灯させる機能（非常点灯）を有している。
コントロールユニット４は、非常点灯が規定時間継続可能か否かを判定する点検機能（自己点検機能）を有している。自己点検機能は、蓄電池５の電力を使用して、規定時間の非常点灯を自動で実施し、結果を充電モニタ４８１、ランプモニタ４８２、又は、自己点検モニタ４８３に表示する機能である。判定は蓄電池５の電圧を基に実施するが、それと同等の指標としてもよい。
コントロールユニット４は、光源部８が正常に接続されているか、また、故障していないかを判別する機能（故障点検機能）を有している。
コントロールユニット４は、光源部８の累積点灯時間をカウントする機能（時間点検機能）を有している。
自己点検機能、故障点検機能、及び、時間点検機能を、総称して点検機能という。
点検機能は、コントロールユニット４に配設されるスイッチ部の操作により動作する。
【００１３】
（表示装置１：片面灯、両面灯）
図１と図２に示す表示装置１は、光源部８と表示部９をそれぞれ一つ有する片面表示の片面灯である。
表示装置１には、片面表示の片面灯と両面表示の両面灯がある。両面灯は、光源部８と表示部９をそれぞれ本体２を挟んで対向する側に二つ有する。本実施の形態の内容は、片面表示と両面表示とを問わず適用が可能である。
【００１４】
（蓄電池５）
蓄電池５は、ニッケル・水素蓄電池（Ｎｉ−ＭＨ蓄電池）、ニッケル・カドミウム蓄電池（Ｎｉ−Ｃｄ蓄電池）、その他リチウム系の二次電池等を使用することが可能である。本実施の形態では、Ｎｉ−ＭＨ蓄電池を使用している。
【００１５】
（光源部８）
本実施の形態では、光源部８は、光源として発光ダイオード（ＬＥＤ：Ｌｉｇｈｔ  Ｅｍｉｔｔｉｎｇ  Ｄｉｏｄｅ）を使用している。ＬＥＤは、一個でもよいし、複数個として基板に実装し、ＬＥＤモジュールの形態としてもよい。
本実施の形態では、ＬＥＤを複数個使用し、ＬＥＤモジュールとした状態でランプホルダに装着した状態を光源部８としている。光源は、レーザー、有機エレクトロルミネッセンス（有機ＥＬ）等でもよい。有機ＥＬ等の面光源を用いる場合は、光源部８と表示部９とを共通化することも可能である。
光源部８は、両端に凸部８１を有する。
凸部８１には、コネクタ８２が配置されている。
【００１６】
（本体２：機器構造）
本体２は、表示装置１の本体ケースであり、器具の本体であり、器具の筐体である。
本体２は、一面が開口した箱形状をしている。
本体２は、矩形の本体面２２を有する。
本体２は、本体面２２と直交する２枚の本体側部２９を有する。
本体２は、本体面２２と直交する１枚の本体下部２５を有する。
本体２は、本体面２２と直交する１枚の本体上部２１を有する。
本体２は、少なくとも一面にほぼ矩形の開口を有する。
本体２の開口は、本体面２２と対向しており、本体面２２とほぼ同じ矩形の開口である。
【００１７】
（本体２：構成）
本体２は、コントロールユニット４を下方に配置している。
コントロールユニット４は、本体下部２５の上部に設けられている。
本体２は、電源端子台６を設置する設置部２６を有する。
設置部２６は、コントロールユニット４の上部に設けられている。
設置部２６は、本体２の左側半分に配置されている。
本体２は、蓄電池を配置する電池配置部４１５を有する。
電池配置部４１５は、コントロールユニット４の上部に設けられている。
電池配置部４１５は、本体２の右側半分に配置されている。
【００１８】
（本体２：本体上部２１の縁壁２１３）
本体２は、被取付部（天井）に取り付けられる上側面に本体上部２１を有する。
本体上部２１は、上面に縁壁２１３を有し、凹部２１４を有している。
縁壁２１３は、本体上部２１と直交する立壁であり、本体上部２１から上方向に向かって形成されている。
縁壁２１３は、本体上部２１の外縁に形成されている周囲壁である。
縁壁２１３は、本体上部２１の縁に形成された２本の直線状の立壁である。
縁壁２１３は、その上面により天井取付面を形成している。
縁壁２１３は、凹部２１４を形成している。
凹部２１４は、本体上部２１の上面が底面となり縁壁２１３が側面となった窪み部分である。
【００１９】
（本体２：本体上部２１のリブ２３）
本体上部２１は、上面にリブ２３を有する。
リブ２３は、本体上部２１の上面と直交する立壁であり、本体上部２１に対して上下方向に向かって形成されている。
リブ２３は、穴周囲リブ２３２と十字状リブ２３３と内リブ２３４とを有する。
穴周囲リブ２３２と十字状リブ２３３と内リブ２３４との高さは、全て同じである。
穴周囲リブ２３２と十字状リブ２３３と内リブ２３４との高さは、取付具３１の厚さだけ、縁壁２１３の高さより低い。従って、取付具３１の上面の高さと縁壁２１３の高さとは同じ高さになる。
表示装置１が天井に固定された場合、取付具３１の上面と縁壁２１３の頂部がなす平面と天井面とは同一平面になる。
穴周囲リブ２３２は、凹部２１４に形成されており、本体上部２１に開けられた穴の周囲に形成されている。
十字状リブ２３３は、本体上部２１の両端部に形成されている。
内リブ２３４は、縁壁２１３の長辺の内側に形成されているリブである。
内リブ２３４は、凹部２１４に形成されており、縁壁２１３の長辺と平行な直線状の壁である。
縁壁２１３と内リブ２３４の間には、直線状の隙間があり、縁壁２１３と内リブ２３４とで直線状の溝部２１５を形成している。
【００２０】
（本体２：本体上部２１の筒部２４）
本体上部２１の両端部には、光源ハーネス７及び光源部８の取付に合わせた形状で筒部２４が設けられている。
筒部２４は、本体上部２１の凹部２１４の両端に配置されている。
筒部２４は、少なくとも上方向が解放された中空の角柱形状をしている。
筒部２４の上端部と縁壁２１３とは同じ高さで連続している。
筒部２４は、内部に十字状リブ２３３を有している。
筒部２４の開口方向の筒側部２４１は、光源部８の凸部８１が嵌め合わされて取り付けられる部分である。
筒側部２４１は、本体２の開口面から本体面２２の方向に窪んだ矩形の窪み面である。
筒側部２４１においては、縁壁２１３も本体２の開口面から本体面２２の方向に窪んでいる。
筒部２４において、筒側部２４１と縁壁２１３の外壁面とは同一平面である。
筒側部２４１には、コネクタ２８がある。コネクタ２８は光源部８のコネクタに嵌めこまれる。
【００２１】
（本体２：複数の電源穴、取付穴）
本体２は、本体上部２１に、上部電源穴２１１及び上部取付穴２１２を有している。
また、本体２は、本体面２２にも本体上部２１と同様に本体面電源穴２２１及び本体面取付穴２２２を有している。
本体２が、電源穴と取付穴とを本体上部２１と本体面２２とに有しているので、表示装置１を壁と天井とのいずれにも設置することができる。
【００２２】
（本体２：穴周囲リブ２３２）
本体２の本体上部２１の上部電源穴２１１及び上部取付穴２１２の周囲には補強用の穴周囲リブ２３が設けられている。
上部電源穴２１１の穴周囲リブ２３２は、上部電源穴２１１の周囲３６０度に形成されている。
上部取付穴２１２の穴周囲リブ２３２は、ダルマ穴の丸穴側にはなく、ダルマ穴の横長穴側の周囲１８０度に形成されている。
穴周囲リブ２３２は、地震等により表示装置１が揺れた際に、本体２の変形を抑制し、表示装置１の揺れを抑える機能を有する。
【００２３】
（本体２：十字状リブ２３３）
筒部２４は、垂直方向から見て略十字状の十字状リブ２３３を有する。
十字状リブ２３３は、コネクタ２８が配置された部分を除き、本体上部２１の筒部２４の内部全体に上下に貫いて形成されている。
十字状リブ２３３を設けることで表示装置１（本体２）に外力が加わった際の本体２の変形を抑制することが可能である。
本体上部２１の両端の側部にある筒部２４が下方向へ突出しており、表示装置１を天井面に固定した場合、振動したときに本体固定ネジ３１１と上部取付穴２１２が軸になって両端の筒部２４が振動し表示装置１が揺動する。本体上部２１の両端にリブ２３を設けることで、筒部２４付近の変形が抑制され、表示装置１（本体２）の変形及びコネクタの電気的接触不良をより抑制することができる。
【００２４】
（本体２：本体下部２５の開口部２５１）
本体２の本体下部２５には、矩形の開口部２５１が設けられている。
開口部２５１により、コントロールユニット４に配設される充電モニタ４８１、ランプモニタ４８２、自己点検モニタ４８３、点検スイッチ４８４、自己点検スイッチ４８５、及び、赤外線受光部４８６が外部から視認可能、もしくは操作可能となる。
本実施の形態においては、充電モニタ４８１、ランプモニタ４８２、自己点検モニタ４８３、点検スイッチ４８４、自己点検スイッチ４８５、及び、赤外線受光部４８６を外部から視認可能、操作可能となるように一つの開口部２５１を設けているが、それぞれの部分に対応した複数の開口部を設けてもよい。
開口部２５１の開口にユニットケース４１に収められたスイッチ及びモニタがはまり込むからコントロールユニット４を本体２の容易に取り付けることができる。
【００２５】
（本体２：材質）
本体２は、ポリカーボネート（ＰＣ）、ＡＢＳ樹脂、又は、それらのアロイ材等の樹脂で成形することが好ましいが、冷間圧延鋼板に溶融亜鉛めっきを施した溶融亜鉛メッキ鋼板（ＳＧＣＣ）等の鋼板で構成してもよい。
【００２６】
（補強金具３）
補助金具３は、ＳＧＣＣ等の鋼板で構成された補強金具である。
補助金具３は、一面が開口した箱形状をしている。
補助金具３は、金具平部３０１と金具上部３０３と金具下部３０５とを有する。
補助金具３は、側面として、金具側部３０２と金具側部３０４とを有する。
補助金具３は、コーナーで接続されておらず、補助金具３のコーナーは切り欠かれている。
補助金具３は、補助金具３の外表面の形状は、本体２の内表面の形状と同じである。
補助金具３は、本体２の内側に密着して装着される。
補助金具３は、本体２の電源穴と取付穴と同じの位置に電源穴と取付穴と同じ形状で電源孔と取付孔とを有する。
補助金具３は、金具平部３０１に、本体２の本体面２２から開口された方向に突出した部分を露出させる複数の露出孔３０９を有する。
補助金具３は、金具平部３０１に、露出孔３０９の一つとして開口部３０８を有する。
【００２７】
（補助金具３：ネジ応力緩和）
補助金具３は、本体２の内面に沿って配設され、上面側もしくは本体面側の取付穴にネジ等が固定される場合に補強する機能を有する。
本体２が樹脂で成形されている場合、ネジが本体２の取付穴に直接固定されると、本体２のネジの座面と接する箇所に力がかかり、樹脂のネジ取付部にひびが入る等の現象が起きる可能性がある。補助金具３の取付孔を介して取付穴にネジを固定することで、本体２のネジ取付部に力が直接加わらない。補助金具３で力が分散されるため、本体２に加わる力を抑えることができる。
【００２８】
（補助金具３：剛性向上効果）
補助金具３は、本体２に力が加わった際の変形を抑制する。
補助金具３は、本体２の内面に沿って配設されているので、本体２の剛性を向上させる効果を奏する。
また、補助金具３は、曲げ部又は面部にビード（補強用リブ）を設けることでさらに変形を抑制させることが可能である。
なお、本体２が高い剛性を有している場合は、補助金具３は不要である。
【００２９】
（取付具３１の構造）
図３は、取付具３１を示す図である。
取付具３１は、金属製の長尺の取付金具であり、天井に取り付ける天井取付金具である。
取付具３１は、長辺と短辺からなる長尺形状の平部３３を有する。
取付具３１は、平部３３と直交する曲げ部３２を有する。
平部３３は、上面全面が天井等の被取付部に密着する。
平部３３は、下面が、リブ２３の頂部に密着する。
【００３０】
（コ字部３５と延設部３６の構造）
取付具３１は、コ字部３５と延設部３６とを有する。
コ字部３５は、平部３３と曲げ部３２とにより形成され、取付具３１の中央にある。
コ字部３５は、平部３３の長辺と直交する断面の形状が略コ字状に形成されている部分である。
コ字部３５の長さは、凹部２１４の長さと同じである。
曲げ部３２の長さは、溝部２１５の長さと同じである。
曲げ部３２は、平部３３の両端にある延設部３６には存在しない。
延設部３６は、平部３３の一部であり、平部３３の両端部分にある。
延設部３６は、コ字部３５の両側から平らに延設された板状部である。
延設部３６の横方向の長さは、筒部２４の横方向の長さ未満である。
延設部３６の縦方向の長さは、筒部２４の縦方向の長さ未満である。
延設部３６は、本体上部２１の上面に接触する。
延設部３６は、筒部２４の十字状リブ２３３の天部に接触した状態で固定される。
延設部３６が筒部２４の十字状リブ２３３の天部に接触していることにより、本体２の変形を抑制させることが可能である。
【００３１】
（電源挿入用穴３１３と天井固定用穴３１４と本体固定ネジ用穴３１５の構造）
取付具３１は、平部３３に電源挿入用穴３１３と天井固定用穴３１４と本体固定ネジ用穴３１５とを有する。
電源挿入用穴３１３は、電源線を挿入する穴である。
電源挿入用穴３１３は、平部３３の中央に存在する。
天井固定用穴３１４は、天井固定用ネジのネジ穴である。
天井固定用穴３１４は、電源挿入用穴３１３を挟んで形成されている。
電源挿入用穴３１３の左側の天井固定用穴３１４は、隣り合った二個の縦長穴からなる。
電源挿入用穴３１３の右側の天井固定用穴３１４は、一つの横長穴からなる。
本体固定ネジ用穴３１５は、本体２を取り付ける本体固定ネジ３１１とナット３１２とを取り付ける穴である。
本体固定ネジ用穴３１５は、二個の長穴と一個のダルマ穴とが対になっている。
本体固定ネジ用穴３１５は、電源挿入用穴３１３を挟んで内側と外側に異なるピッチで複数対（二対）形成されている。
内側の本体固定ネジ用穴３１５は、電源挿入用穴３１３と天井固定用穴３１４の間にある。
外側の本体固定ネジ用穴３１５は、天井固定用穴３１４の外側にあり、取付具３１の端部の延設部３６にある。
図３は、内側の本体固定ネジ用穴３１５に本体固定ネジ３１１とナット３１２とを取り付けている。
なお、本実施の形態では、取付具３１のネジ本体固定ネジ３１１（ボルト）は二本としているが、本数は任意である。
【００３２】
（取付具３１の器具取付）
本実施の形態では、天井に表示装置１を設置する場合、取付具３１を使用して表示装置１を天井に固定する。
本体２の本体上部２１にネジ等の締結部材を使用し、表示装置１を天井に直接固定してもよいが、ネジ固定の際の作業スペースが本体２の内部では狭い場合がある。
そこで、取付具３１を先に天井に固定して、取付具３１に取り付いているネジ本体固定ネジ３１１（又は、ボルト）を本体２の上部取付穴２１２に挿入し、ナット３１２を締めこむ事で表示装置１を固定する。
また、本体２の上部取付穴２１２をナット３１２が挿入可能な丸穴と、ナット３１２より径の小さな横長穴を連結したダルマ穴とすることで、ナット３１２を取り外さずに本体２を取付具３１に取り付けることが可能となる。
作業手順としては、ダルマ穴にナットを挿入する場合、ナット３１２が挿入可能な丸穴側にナット３１２と本体固定ネジ３１１（ボルト）を通し、ナット３１２より径の小さな横長穴側に本体固定ネジ３１１（ボルト）がくるように本体２を移動させ、ナット３１２を締めこんで固定する。その際、取付具３１が略コ字状に形成されており、コの字の開放側を本体２側とし、ナット３１２を締めこむことで、取付具３１の曲げ部３２が本体２の溝部２１５の溝にはまり込む。
ナット３１２を締めた後に、このはまり込みにより本体２が移動することを防止することが可能となる（脱落防止）。
【００３３】
（取付具３１の構造）
本実施の形態では、仕様により、本体２（表示装置１）のサイズを変えることが可能である。
取付具３１と本体２を固定する際のネジ本体固定ネジ３１１（ボルト）及びナット３１２の締結位置は、器具の端部にするほど、地震等の振動に対し耐力が上がる傾向となる。そのため、できる限り２本のネジ本体固定ネジ３１１の間隔を広くすることが望ましい。
表示装置１のサイズに応じて様々な種類の取付具３１を作成することも可能であるが、１種類の取付具３１で様々なピッチに対応することが望ましい。そのため、本実施の形態の取付具３１は、コの字状の金具に
・電源挿入用穴３１３を金具中央に１箇所
・天井固定用穴３１４を規定ピッチで３箇所
・本体固定ネジ用穴３１５を２種類のピッチで４箇所
設けている。
表示装置１のサイズに応じて、本体固定ネジ用穴３１５を使い分けることで取付具３１の共通化を図っている。
図４の（ａ）は、内側の本体固定ネジ用穴３１５に本体固定ネジ３１１とナット３１２とを取り付けている。
図４の（ｂ）は、外側の本体固定ネジ用穴３１５に本体固定ネジ３１１とナット３１２とを取り付けている。
本実施の形態では、天井固定用穴３１４を、６６．７ｍｍ及び８３．５ｍｍの間隔で形成している。
表示装置１のサイズが小さい（約１３７ｍｍの横幅）場合のために、６６．７ｍｍ間隔の天井固定用穴３１４より内側に本体固定ネジ用穴３１５を２箇所設けている。
表示装置１のサイズが大きい（約２０７ｍｍの横幅）場合のために、８３．５ｍｍ間隔の天井固定用穴３１４より外側に本体固定ネジ用穴３１５を２箇所設けている。
８３．５ｍｍ間隔の天井固定用穴３１４より外側に設ける本体固定ネジ用穴３１５は、取付具３１のコ字部３５よりも外側の延設された延設部３６に設けられる。
【００３４】
（コントロールユニット４：構成）
図５、図６、図７と図８は、コントロールユニット４を示す図である。
コントロールユニット４は、ユニットケース４１、基板４２、絶縁板４３で構成されている。
ユニットケース４１は、一面が開口した箱状となっている。
ユニットケース４１は、基板４２の部品実装面が開口と反対側になるように、基板４２を開口から取り付ける。
絶縁板４３は、基板４２のハンダ面側を覆うように配設される。
絶縁板４３は、ユニットケース４１の開口を覆う蓋である。
絶縁板４３は、ユニットケース４１の固定部に絶縁板４３の挿入部が嵌合することで、ユニットケース４１の開口に固定される。
【００３５】
（ユニットケース４１：構成）
ユニットケース４１は、以下を有する。
ユニット表部４１１１
ユニット側部４１１２
ユニット上部４１１３
ユニット側部４１１４
ユニット下部４１１５
【００３６】
ユニット側部４１１２とユニット上部４１１３とユニット側部４１１４とユニット下部４１１５は、ユニット表部４１１１と直交する周囲面である。
ユニット表部４１１１は、ユニット表部４１１１よりへこんだ端子押さえ部４１１６と端子配置部４１１７と端子配置部４１１８とスイッチ配置部４１１９とを有する。
端子押さえ部４１１６は、光源用端子部４６のカバーであり、光源用端子部４６を押さえている。
端子配置部４１１７は、バッテリー端子部４５を配置している。
端子配置部４１１８は、電源端子部４４を配置している。
スイッチ配置部４１１９は、リセットスイッチ４７を配置している。
端子配置部４１１７と端子配置部４１１８とは、バッテリー端子部４５と電源端子部４４とに電源線を挿入する際に真っ直ぐ縦方向に挿入するために窪んでいる。真っ直ぐ縦方向に挿入することにより確実な電線の結線が可能となる。バッテリー端子部４５と電源端子部４４とのように、本体２の開口側に向いて電線が接続される場合、電線が開口側に向かって突出する方向となる。しかし、端子配置部４１１７と端子配置部４１１８とがバッテリー端子部４５と電源端子部４４とを本体２の開口面から後退させて配置しているので、本体２に表示部９を装着する際に、電線が表示部９に干渉しない。
【００３７】
（コントロールユニット４：入出力端子）
コントロールユニット４は、以下を有する。
（１）商用電源からの電力を入力するための電源端子部４４
（２）蓄電池５の充電及び蓄電池５の電力を利用する場合の入出力のためのバッテリー端子部４５
（３）光源部８に電力を供給するための光源用端子部４６
（４）光源部８の累積点灯時間をリセットするためのリセットスイッチ４７
【００３８】
（コントロールユニット４：入出力端子の配置）
コントロールユニット４に配設される入出力端子は、それぞれコネクタとなっている。
【００３９】
（光源用端子部４６の配置）
光源部８に電力を供給する光源用端子部４６は、ユニットケース４１の側面上方向にむかって設置されている。
光源用端子部４６のコネクタには、光源ハーネス７が接続される。
光源ハーネス７のコントロールユニット４との接続側と反対側のコネクタは、光源部８が接続されるコネクタ２８に接続される。
光源ハーネス７を光源用端子部４６のコネクタに一度取り付けると、その後光源ハーネス７の着脱の必要が無い。このため、光源用端子部４６のコネクタを本体面２２と平行に取り付けて光源ハーネス７の接続方向を上側面方向に向けことで、光源ハーネス７が誤って着脱されることを防止する。
さらに、ユニットケース４１の端子押さえ部４１１６を光源用端子部４６のコネクタを隠すように光源用端子部４６のコネクタにオーバーラップさせることで、光源ハーネス７が誤って着脱されることを防止する。
なお、本体２は、光源ハーネス７の配線を固定するための固定部（図示せず）を有しており、器具内で光源ハーネス７がばらけない様保持する機能を有している。
【００４０】
（電源端子部４４の配置）
商用電源からの電力を入力するための電源端子部４４は、電源端子台６と接続される。接続する電線は極力短いことが望ましいので、電源端子台６の近傍に電源端子部４４を設置することが望ましい。
図７に示すように、本実施の形態においては、電源端子台６の近傍であるユニットケース４１の左上側に電源端子部４４を配設している。
また、電源端子台６の接続口の並びと、電源端子部４４の接続口の並びを同じ方向に配置することで、それぞれの配線順及び電線長の統一が可能となる。
図７に示すように、本実施の形態においては、電源端子台６の接続口の並びと、電源端子部４４の接続口の並びとは、基板４２の左側に存在し上下に並んでいる。
【００４１】
（入出力用バッテリー端子部４５の配置）
蓄電池５の入出力用バッテリー端子部４５は、蓄電池５の収納部の近傍に設けることが望ましい。
本実施の形態においては、入出力用バッテリー端子部４５を蓄電池保持部４１４に隣接して設けている。
また、入出力用バッテリー端子部４５を光源用端子部４６に隣接して設けている。
入出力用バッテリー端子部４５のコネクタの向きは、本体２の開口面側に向かってコネクタの着脱が可能な方向としている。蓄電池５は、蓄電池５の寿命が来た際に交換が必要となるため、コネクタ着脱の作業が容易である必要がある。そのため、本体２の開口面側に向かって着脱可能とすることで、本体２の開口より外側にある表示装置１の外側のスペースを利用してコネクタ着脱ができる。
【００４２】
（コントロールユニット４：アクセス部４１６のモニタ部４１７と点検スイッチ部４１８）
図８に示すように、ユニットケース４１は、下部にアクセス部４１６を有する。
アクセス部４１６は、ユニット下部４１１５の左半分に形成されている。
アクセス部４１６は、ユニット下部４１１５から段差を持って下方に突出した矩形部分である。
アクセス部４１６の段差部分は、本体下部２５の開口部２５１に嵌めこまれ、ユニットケース４１を本体２に対して位置決めする。
アクセス部４１６は、モニタ部４１７とスイッチ部４１８とを有する。
モニタ部４１７は、三個のモニタ穴４１２を有する。モニタ穴４１２の形状は長円形である。
スイッチ部４１８は、三個の操作穴４１１を有する。操作穴４１１の形状は円形である。
【００４３】
モニタ部４１７の三個のモニタ穴４１２には、
・充電モニタ４８１（緑色ＬＥＤ）
・ランプモニタ４８２（赤色ＬＥＤ）
・自己点検モニタ４８３（橙色ＬＥＤ）
が配設されている。
【００４４】
スイッチ部４１８の三個の操作穴４１１には、
・点検スイッチ４８４
・自己点検スイッチ４８５
・赤外線受光部４８６（リモートコントローラからの赤外線の受光部）
が配設されている。
【００４５】
モニタ用ＬＥＤがモニタとしてそれぞれ基板４２の一端部に実装されている。
モニタ用ＬＥＤは、ユニットケース４１に設けられたモニタ穴４１２を介して、光が装置外部に向かうよう配設されている。
モニタ用ＬＥＤの光は、モニタ穴４１２から直接外部に照射される。
モニタ用ＬＥＤの光の一部はモニタ穴４１２の側壁に反射するので、装置に対して浅い斜めの角度からの視線においてもＬＥＤが点灯していることを視認可能としている。
また、モニタ穴４１２の形状を長円形とすることで、穴のピッチを小さくすることができる。
モニタ穴４１２の形状を長円形とすることで、真円形状で直径を大きくすることなく、必要な領域からＬＥＤが点灯していることを視認可能とすることが可能である。
真円形状で直径を大きくした場合、モニタ間のピッチを狭くすることが困難になる。また、穴径が大きくなると、基板上の部品に触れやすくなる、埃等の侵入が容易になる、といったことがおきてしまう可能性がある。
【００４６】
（コントロールユニット４：点検スイッチ構造）
図８に示すように、ユニットケース４１は、スイッチ部４１８に点検スイッチ４８４及び自己点検スイッチ４８５を有している。
図９に示すように、点検スイッチ４８４及び自己点検スイッチ４８５は、基板４２に搭載されたスイッチ４２１をそれぞれ押す押し釦構造となっている。
点検スイッチ４８４及び自己点検スイッチ４８５は、スイッチ釦４１３でスイッチ４２１を押す操作をすることで、点検動作を開始、終了させる機能を有する。
図１０と図１１に示すように、スイッチ釦４１３は、三角板状をしている。
スイッチ釦４１３は、軸部４１３１と操作部４１３２と押圧部４１３３とを有する。
軸部４１３１は、ユニットケース４１の軸受けに取り付けられる。
操作部４１３２は、操作穴４１１から露出する部分であり、指で押される部分である。
押圧部４１３３は、スイッチ４２１を押す部分である。
【００４７】
（コントロールユニット４：点検スイッチ動作）
点検スイッチ４８４及び自己点検スイッチ４８５は、それぞれ基板４２に実装されたスイッチ４２１を、ユニットケース４１に配設されたスイッチ釦４１３で押すことで動作する。
仮に、基板面に対してスイッチ４２１の押し方向が平行方向になるようにスイッチ４２１が実装されているとすると、スイッチ４２１に過度な力がかかった場合、スイッチ４２１が破損するおそれがある。そこで、基板４２に対し押し方向が基板面に対して垂直になる方向にスイッチ４２１を実装する。
スイッチ釦４１３は、側面視で略Ｌ字状となっており、Ｌ字のコーナーにあたる箇所に軸部４１３１を有している。軸部４１３１は、スイッチ４２１の真下に配置されている。
スイッチ釦４１３は、軸部４１３１を中心に回転動作をすることで、基板面に対して平行方向の力を、基板面に対して垂直方向の力に変換する機能を有する。
このような構成とすることで、装置下部に配設されたスイッチ釦４１３の操作部４１３２を装置に対し、上方向に押す操作とすることが可能となる。
【００４８】
（コントロールユニット４：電池取付構造（単４形電池側））
ユニットケース４１は、点検スイッチ部４８に対向する面（上面）に、電池保持部４１４を有している。
電池保持部４１４は、基板４２の基板面に対し、蓄電池５を垂直方向に着脱可能としている。
電池保持部４１４は、蓄電池５を周囲四面を囲う壁状部４１４２からなっており、着脱方向の二面が開口している。本体２にユニットケース４１が取り付けられることで、電池保持部４１４の二面開口の一面側が本体２と近接し、一面開口の箱状となることで蓄電池５の保持が可能となる。
本体面２２は、補助金具３の露出孔３０９を通過した２本の平行な電池台２２４を有する。
蓄電池５は、蓄電池５の底面が電池台２２４に到達するまで電池保持部４１４に挿入される。
蓄電池５の底面は、樹脂製の電池台２２４に接触し、金属製の補助金具３に接触することはないので、漏電することがない。
また、壁状部４１４２の一部は、電池保持部４１４の内側に突出した爪部４１４３となっており、蓄電池５の意図しない着脱を規制する効果を有している。
また、壁状部４１４２の下面はの左半分はコントロールユニット４のユニット上部４１１３と同じ面であるが、壁状部４１４２の下面はの左半分以外の面はコントロールユニット４とは離れた面である。したがって、蓄電池５は、壁状部４１４２の下面の左半分のみからコントロールユニット４の発熱の影響を受けるだけである。
また、壁状部４１４２の下面の右半分の下方は、端子配置部４１１７が有る部分であり、壁状部４１４２の下面の右半分は、端子配置部４１１７と同様に本体２の開口面から後退して形成されている。壁状部４１４２の下面の右半分では、蓄電池５は、空間に露出しており、蓄電池５は、壁状部４１４２の下面の右半分からのコントロールユニット４の発熱の影響を受けにくくなっている。
また、蓄電池５は、二本の平行な電池台２２４で空中に支えられ、かつ、壁状部４１４２で囲われているため、基板４２、光源部８及び補助金具３の熱から分離する効果を有しており、近接する基板４２等の温度が上がった場合においても、熱の影響を小さくすることが可能である。
このような電池取付構造により、光源部８、補助金具３及びコントロールユニット４の発熱による蓄電池５への熱の影響を小さくすることができ、蓄電池５の寿命を長くすることができる。
【００４９】
（コントロールユニット４：蓄電池５の取付構造（単４形電池側）・その他）
本実施の形態においては、電池保持部４１４は、ユニットケース４１に設けているが、電池保持部４１４は、本体２に設けてもよい。また、電池保持部４１４を別部材として同様な構造で設けることによっても同様の効果を得ることが可能である。
【００５０】
（コントロールユニット４＋本体：蓄電池５の取付構造（単３形電池側））
本実施の形態の表示装置１は、機器の要求仕様に応じて、様々な光出力に対応が可能である。
求められる光出力に応じて、商用電源が停電時にＬＥＤに電力を供給する蓄電池５の大きさも変更する必要がある。
電池保持部４１４の構造は、１種類の蓄電池５の大きさに対応するが、例えば、蓄電池５より大きい蓄電池５Ａを装着することができない。
そこで、図１２と図１３に示すように、電池保持部４１４以外に電池配置部４１５を設ける。
電池配置部４１５は、本体２の本体面２２と本体側部２９を蓄電池５Ａを支える壁として用いる。
電池配置部４１５は、本体面２２に形成され補助金具３の露出孔３０９から突出した上壁４１５１と内横壁４１５２と下壁４１５３と、本体側部２９に形成された押さえ部４１５４とにより、蓄電池５Ａを本体２に着脱自在に固定する。
上壁４１５１は、蓄電池５Ａの上面を位置決めする板壁である。
内横壁４１５２は、蓄電池５Ａの内側側面を位置決めする板壁である。
下壁４１５３は、蓄電池５Ａの下面を位置決めする板壁である。
押さえ部４１５４は、蓄電池５Ａを電池配置部４１５に引っかけて保持する突出部である。
【００５１】
さらに、電池保持部４１４の一部に切り欠き部４１４１（凹部）を設け、ユニットケース４１が取り付けられる本体２と切り欠き部４１４１（凹部）の間に空間をつくることで、蓄電池５とは別の大きさの蓄電池５Ａを同一のユニットケース４１及び本体２に保持する。
切り欠き部４１４１は、蓄電池５Ａの外形に沿うように、電池保持部４１４の本体面側の角を切り欠いている。
蓄電池５Ａは、蓄電池５Ａの下面が下壁４１５３に当たる状態で蓄電池５Ａの下部が切り欠き部４１４１に挿入されている。切り欠き部４１４１が蓄電池５Ａの下部左側を押さえ、押さえ部４１５４が蓄電池５Ａの上部右側を押さえることにより、蓄電池５Ａが本体面２２から開口側に外れることを防止している。
【００５２】
（電源端子台６）
図１４は、本体２極の電源端子台６を示す図である。
電源端子台６は、略立方体をしている。
電源端子台６は、対向する二面の一方の面に複数の入力電線挿入部６１を有し、他方の面に複数の出力電線挿入部６２を有する。
入力電線挿入部６１がある側面は、出力電線挿入部６２がある側面の反対側にあり、入力電線挿入部６１がある側面と出力電線挿入部６２がある側面とは平行である。
電源端子台６の底面には、４本の足６５がある。
【００５３】
（設置部２６）
図１５は、電源端子台６を設置する設置部２６を示す図である。
設置部２６は、電源端子台６を二個設置する設置スペースを提供する。
設置部２６は、電源端子台６を三個以上複数設置する設置スペースを提供してもよい。
設置部２６は、本体２の本体面２２に形成されている。
設置部２６は、補助金具３の金具平部３０１に開けられた開口部３０８から本体２の内部に露出している。
設置部２６は、一個又は二個の電源端子台６を個別に本体２に着脱自在に固定する。
設置部２６は、本体面２２に形成され、補助金具３の露出孔３０９から突出した保持壁２６０を有する。
保持壁２６０は、内壁２６１と上壁２６２と外壁２６３と下壁２６４と横張り壁２６５とを有する。
内壁２６１は、電源端子台６の内側側面を位置決めする板壁である。
上壁２６２は、電源端子台６の上面を位置決めする板壁である。
外壁２６３は、電源端子台６の外側側面の下部を押さえる突出部である。
下壁２６４は、電源端子台６の下面を位置決めする板壁である。
横張り壁２６５は、電源端子台６の下部の足を拘束する薄板である。
内壁２６１は、電源端子台６の側面全体を覆っている。
内壁２６１は、電源端子台６の使用する入力電線挿入部６１を露出させる結線穴２６１２を有する。
内壁２６１は、電源端子台６の使用しない入力電線挿入部６１を覆うことが望ましい。
内壁２６１は、周囲三辺に内壁２６１と直交するコ字形の庇壁２６１１を有する。
庇壁２６１１は、保持壁２６０の一部である。
庇壁２６１１の表面には、電源端子台６の出力電線挿入部６２に対応して、出力電線挿入部６２の接続する電線の色「赤、黒、白」が表示されている。
【００５４】
設置部２６は、さらに、保持壁２６０として、補助金具３に形成された２枚の立壁３０６を有する。
立壁３０６は、補助金具３の開口部３０８にあった金具平部３０１の一部を９０度折り曲げて形成している。
立壁３０６は、電源端子台６の上面と下面を位置決めする板壁である。
立壁３０６は、それぞれ上壁２６２と下壁２６４との内側に接触している。
立壁３０６は、上部中央に、電源端子台６をひっかけて止める爪３０７を有する。
【００５５】
（電源端子台６の数）
表示装置１は、停電時に装置内に蓄電池５を有し、停電時に装置内の蓄電池５の電力を使用して非常点灯する電池内蔵形と、装置内に蓄電池５を有さず、設置される建築物に設置された蓄電池設備の電力を使用して非常点灯する電源別置形の２種類がある。
それぞれの仕様により表示装置１に供給される電源からの電線接続方法が変わる。
電池内蔵形では、
・赤、黒、白の三線を接続
・赤、黒は同極となるが、赤線はｏｎ−ｏｆｆすることで通常時に消灯制御が可能
・白、黒は通常時、常に電源が給電され、常時、蓄電池５を充電する
・防水形等の水周りの環境に設置する場合はアース線も接続する
といった構成となる。
電源別置形では、
・黒、白の二線を接続
・通常時と非常時は、通常時は交流（ＡＣ）で給電され、非常時は直流（ＤＣ）で給電されることで判別
・場合によっては、機器内にＡＣで二線、ＤＣで二線を接続してもよい
といった構成となる。
このように、機器の種類により電線の接続方法が異なる場合、従来では、電線の接続端子である電源端子台を複数種類用意し、使い分けを実施する、もしくは、極数の多い電源端子台を使用して共用化を図る、等の手段を用いている。
本実施の形態の表示装置１においては、本体２極の電源端子台６を二個搭載するスペースを確保し、機器の種類に応じて電源端子台６の数量を変更することで対応することが可能である。
例えば、二線のみ接続でよい場合は、端子台を一個とし、三線とアース線とが必要な場合は、端子台を二個使用することでフレキシブルに対応することが可能である。
【００５６】
（電源端子台６の取付方法）
図１５は、設置部２６への電源端子台６の取付方法を示す図である。
図１５の（ａ）から（ｄ）までは、電線６３の図示を省略している。
まず、（ａ）の状態で、電源端子台６の出力電線挿入部６２に電線６３を接続する。
次に、（ｂ）のように、電源端子台６ａを縦（斜め）方向から、電源端子台６ａの底面（足）が本体面２２に密着し、かつ、出力電線挿入部６２がある側面が内壁２６１に当たるまで、電源端子台６ａを設置部２６に嵌めこむ。横張り壁２６５が電源端子台６ａの下部にある足を拘束し、電源端子台６ａが上下方向にずれることを禁止する。
（ｃ）のように、設置部２６に電源端子台６ａは以下の状態で固定される。
（１）電源端子台６ａの底面（足）は本体面２２に密着する。
（２）電源端子台６ａの出力電線挿入部６２がある側面が内壁２６１に密着する。
（３）電源端子台６ａの入力電線挿入部６１がある側面の下部が外壁２６３に当たる。
（４）電源端子台６ａの足が横張り壁２６５で拘束され、電源端子台６ａが下にずれない。
（５）電源端子台６ａの一側面と開口側の面との一部を庇壁２６１１が覆う。
（６）電源端子台６ａの開口側の面を立壁３０６の爪３０７がひっかける。
このように、設置部２６は、電源端子台６を二個設置するスペースを有しているが、電源端子台６を一個のみ個別に設置することができる。
（ｄ）は、二個目の電源端子台６ｂの取付を示しているが、二個目の電源端子台６ｂの取付方法は、一個目の電源端子台６ａの取付方法と同じである。
（ｅ）のように、一個目の電源端子台６ａと二個目の電源端子台６ｂの入力電線挿入部６１を電線６４で接続する。
設置部２６の右側にはスペースがあり、入力電線挿入部６１に電線６４を横方向から容易に挿入することができる。
さらに、本体面電源穴２２１から引き込んだ電源線も入力電線挿入部６１に横方向から容易に挿入することができる。
（ｅ）のように、電線６３を９０度曲げ、電線６３を本体側部２９と電源端子台６との間の隙間に配置する。本体側部２９と電源端子台６との間の隙間は狭いので、電線６３が抜けることがない。また、本体側部２９と電源端子台６との間の隙間は狭いので、指を入れることができないため、誤って、電線６３を引き抜くこともない。
【００５７】
（電源端子台６の取付方法）
（ｆ）のように、横張り壁２６５の代わりに仕切り板２６６を用いてもよい。
仕切り板２６６は、設置部２６の中央に配置され、二個の電源端子台６の間に配置される薄板である。
仕切り板２６６は、設置部２６に電源端子台６が一個のみ固定される場合、電源端子台６が上下に移動することを禁止する。
なお、設置部２６には、横張り壁２６５と仕切り板２６６の両方があってもよい。
【００５８】
（電源端子台６の取付方法）
電源端子台６は、本体２に設けられた設置部２６の設置スペースにネジ等の締結部材を用いずに取付可能な構造としている。
本実施の形態においては、電源端子台６に対し、横方向（本体２の本体面２２と平行方向）に電線を接続する構造としている。
設置部２６は、以下のようにして、本体２に電源端子台６を固定する。
（１）電源端子台６の五面を本体面２２と内壁２６１と上壁２６２と外壁２６３と下壁２６４とで囲う。
（２）出力電線挿入部６２がある側面の二辺のコーナーを庇壁２６１１で押さえる。
（３）電源端子台６の両サイドの側面を立壁３０６の爪３０７で固定している。
（４）電源端子台６ａの足を横張り壁２６５で拘束する。
【００５９】
設置部２６が、入力電線挿入部６１がある側面と出力電線挿入部６２がある側面とを横方向に押さえる。
内壁２６１の庇壁２６１１と立壁３０６の爪３０７とで電源端子台６を縦方向（本体２の本体面２２と垂直方向）に押さえる。
こうして、入力電線挿入部６１への電線及び電源線の挿入時又は解除時に電源端子台６にかかる力の方向に対応し、電線接続作業時に電源端子台６が外れることを防止している。
現場で作業する場合には、入力電線挿入部６１に電源線を挿入する作業が必ず発生する。設置部２６は、電源線の挿抜により電源端子台６が外れないように、出力電線挿入部６２よりも入力電線挿入部６１に対して十分な拘束をする構成となっている。
【００６０】
本実施の形態では、補助金具３に設けた立壁３０６の爪３０７の代わりに、本体２に爪を設けて押さえる構造としてもよい。
図１５に示すように、設置部２６の構成により、電源端子台６はネジを設けずに取り付けることができ、電源端子台６を容易に取り付けすることができる。
また、設置部２６の内壁２６１が電源端子台６の使用しない入力電線挿入部６１の穴を塞ぎ、庇壁２６１１に接続すべき電線の色が表示されていることで誤った電線を接続することを防ぐことができる。なお、庇壁２６１１の色の表示は図示されている順番でなくてもよい。庇壁２６１１の色の表示は接続すべき電線の色と一致していればよく、図示されている色でなくてもよい。
【００６１】
（電源端子台６の電線挿入方向／斜め挿し対応）
本実施の形態の電源端子台６の電線挿入方向は、前述のとおり電源端子台６に対し、横方向としている。
表示装置１の本体内にフラットタイプケーブル（ＶＶＦケーブル：Ｖｉｎｙｌ  ｉｎｓｕｌａｔｅｄ  Ｖｉｎｙｌ  ｓｈｅａｔｈｅｄ  Ｆｌａｔ−ｔｙｐｅ  ｃａｂｌｅ）等の電源線を納める際、本体２の開口側に向いて電線が接続されている場合、ＶＶＦケーブルが本体２の開口側に向かって突出する方向となるが、本体２に表示部９を装着した際に、電源線が表示部９に干渉し表示部９を押してしまうこととなる。
そのため、電線挿入方向を本体面２２の面と平行な横方向とすることで、本体２内に電線を収納しやすくし、また、表示部９への干渉をなくすことが可能となる。
【００６２】
（サイズ違いの表示装置１）
図１６は、サイズの小さい表示装置１とサイズの大きい表示装置１に補助金具３を取り付けした図である。
図１７は、図１６に示す大きいサイズの表示装置１の光源部８と表示部９を外した状態の図である。
サイズの小さい表示装置１とサイズの大きい表示装置１のコントロールユニット４と切り欠き部４１４１とは同じものである。
サイズの小さい表示装置１とサイズの大きい表示装置１の設置部２６は同じ構造であり、電源端子台６も同じものである。
サイズの小さい表示装置１は、筒部２４にのみ十字状リブ２３３が形成されている。
サイズの大きい表示装置１は、筒部２４に十字状リブ２３３があり、さらに、リブが凹部２１４の上部取付穴２１２の近傍まで形成されている。
サイズの小さい表示装置１は、本体面電源穴２２１が一個である。
サイズの大きい表示装置１は、本体面電源穴２２１が二個である。
サイズの小さい表示装置１は、本体面取付穴２２２が１対である。
サイズの大きい表示装置１は、本体面取付穴２２２が３対である。
サイズの小さい表示装置１は、電池配置部４１５がコントロールユニット４の右上にある。
サイズの大きい表示装置１は、電池配置部４１５がコントロールユニット４の右側にある。
サイズの大きい表示装置１の電池配置部４１５は、本体２から突出した１対の引っかけ壁４１５５により蓄電池５Ａを固定する。
サイズの小さい表示装置１は、図４の（ａ）の内側の本体固定ネジ用穴３１５に本体固定ネジ３１１とナット３１２とを取り付けた取付具３１を用いる。
サイズの大きい表示装置１は、図４の（ｂ）の外側の本体固定ネジ用穴３１５に本体固定ネジ３１１とナット３１２とを取り付けた取付具３１を用いる。
【００６３】
取付具３１に関する長辺方向の長さの関係は以下のとおりである。
内側の一対の本体固定ネジ用穴３１５の距離＜
コ字部３５の長さ＜
外側の一対の本体固定ネジ用穴３１５の距離＜
取付具３１の長さ＜
サイズの小さい表示装置１の横方向の長さ＜
サイズの大きい表示装置１の横方向の長さ
【００６４】
（本体２：本体面２２の電源穴、取付穴：単数）
本実施の形態における本体面２２の本体面電源穴２２１及び本体面取付穴２２２は、任意の場所にあればよく、それぞれ複数個としてもよいし、一つとしてもよい。
サイズの小さい表示装置１の本体２は、本体面２２に本体面電源穴２２１及び本体面取付穴２２２を上下方向に一つのみ有している。
サイズの小さい表示装置１の本体２において、本体面２２に本体面電源穴２２１及び本体面取付穴２２２を上下方向に複数有していてもよい。
【００６５】
（本体２：本体面２２の電源穴、取付穴：複数）
サイズの大きい表示装置１の本体２は、本体面２２に本体面電源穴２２１及び本体面取付穴２２２を上下方向に複数有している。
サイズの大きい表示装置１の本体２は、本体面電源穴２２１を上下方向に二個有している。
本体２の二個の本体面電源穴２２１は、大きさが異なる。
本体２は、本体面取付穴２２２を上下方向に三対有している。
サイズの大きい表示装置１の本体２の本体面取付穴２２２は、本体面電源穴２２１を挟んで形成されている。
本体面電源穴２２１の左側の本体面取付穴２２２は、隣り合った二個の縦長穴からなる。
本体面電源穴２２１の右側の本体面取付穴２２２は、丸穴と横長穴とがつながったダルマ穴形状をしている。
従来の表示装置の取付穴と、取付穴のピッチとは様々なものが存在しているが、本実施の形態の本体２は、複数の本体面電源穴２２１、複数の本体面取付穴２２２を有することで、リニューアル等で表示装置１の交換又は取付を実施する際に、穴を追加することなく表示装置１の交換又は取付に対して対応することが可能となる。
【００６６】
一般的に、誘導灯においては、電線ケーブルとして、各電線をビニールで絶縁して絶縁した複数の電線をビニールで被覆したＶＶＦケーブル（Ｖｉｎｙｌ  ｉｎｓｕｌａｔｅｄ  Ｖｉｎｙｌ  ｓｈｅａｔｈｅｄ  Ｆｌａｔ−ｔｙｐｅ  ｃａｂｌｅ）を使用している。電線は少なくとも２本必要（＋（高電位側）、−（低電位側））で、器具によってはさらにアース線を加えた三本必要になる。
また、誘導灯を複数台設置する場合は、渡り線として配線を引き回すことがあるため、上記の倍の本数（四本もしくは六本）の電線を本体面電源穴２２１へ挿入することとなる。
ＶＶＦケーブルの電線径（心線）は直径１．６ｍｍもしくは直径２．０ｍｍが利用される。そのシース（被覆）を含めたＶＶＦケーブルの外形寸法の一例を下記に示す。
【００６７】
直径１．６ｍｍで２心のＶＶＦケーブルの外形寸法６．２×９．４ｍｍ
直径１．６ｍｍで３心のＶＶＦケーブルの外形寸法６．２×１２．６ｍｍ
直径２．０ｍｍで２心のＶＶＦケーブルの外形寸法６．６×１０．２ｍｍ
直径２．０ｍｍで３心のＶＶＦケーブルの外形寸法６．６×１３．８ｍｍ
【００６８】
最大で直径２．０ｍｍで３心のＶＶＦケーブルが２本挿入されるので、本体面電源穴２２１は直径２０ｍｍ以上あることが望ましい。直径２０ｍｍの本体面電源穴２２１を上下に二個配置する場合、樹脂成形又は板金加工の制約、ノックアウトの抜き作業を考慮すると、上下にある本体面電源穴２２１と本体面電源穴２２１の間の距離は５ｍｍ以上確保することが望ましい。
そのため、図１７のように、本体面電源穴２２１を直径２０ｍｍ確保する場合、もしくは、本体面電源穴２２１の高さ方向の縦寸法を２０ｍｍ確保する場合、二個の本体面電源穴２２１間のピッチを２５ｍｍより大きく確保して、二個の本体面電源穴２２１を５ｍｍ以上離して配置する必要がある。
また、本体面電源穴２２１の両側に本体面取付穴２２２があることを前提にすると、本体面取付穴２２２の上下の間隔が２５ｍｍ確保できない場合、本体面電源穴２２１の上下の間隔が２５ｍｍ確保できなくなる。
このように、二個の本体面電源穴２２１間のピッチを２５ｍｍより大きく確保するすことができない場合、二個の本体面電源穴２２１を形成するのではなく直径２０ｍｍ以上の一つの大きな本体面電源穴２２１とすることで、本体面電源穴２２１間のピッチの制約を受けずに狭いピッチに対応することが可能となる。
なお、本体面電源穴２２１の寸法は電線が挿入可能な寸法以上とするが、被取付部の壁等に直接壁穴を開けて電線を挿入する場合は制約は無いが、アウトレットボックスを使用して誘導灯を取り付ける場合はアウトレットボックスのカバーの開口に合わせた寸法で本体面電源穴２２１を設ける必要がある。アウトレットボックスのカバーの開口に対し本体面電源穴２２１の位置がずれる場合（一つの大きな本体面電源穴２２１とする場合を含む）は、本体面電源穴２２１の大きさはアウトレットボックスのカバーの開口より大きくならないよう配慮することが望ましい。
【００６９】
以上のように、被取付部となる壁面に対向する本体面２２は、水平方向に一対となる取付穴（本体面取付穴２２２）を有する。
本体面２２は、上下方向（重力方向）に三箇所以上取付穴（本体面取付穴２２２）を設けている。
上下方向に近接する取付穴（本体面取付穴２２２）の場合は、二個の取付穴に対し、一個の本体面電源穴２２１とする。すなわち、一つの本体面電源穴２２１に対して複数の取付穴（本体面取付穴２２２）が対応する。
【００７０】
（筒部２４のリブ）
図１８は、筒部２４のリブを上から見た図である。
リブは、上方向から見た形状が、十字状でなくてもよく、Ｘ字形、井桁形、菱形、放射形、丸型形、又は、半円形のリブでもよい。また、これらの組み合わせたリブでもよい。
いずれの形状のリブの場合でも、取付具３１の延設部３６は、リブの上部に接触して固定される。
【００７１】
（取付具３１の変形例）
図１９は、取付具３１の変形例を示す図である。
取付具３１の延設部３６は、筒部２４の中空部分全体を覆う形状をしている。
取付具３１の延設部３６の形状は、筒部２４の横方向の断面形状と同じである。
その結果、延設部３６の形状は、表示装置１の本体上部２１の形状を同一となる。
図１９の取付具３１は、延設部３６の外周が筒部２４の内周に接触し、かつ、コ字部３５の外周が縁壁２１３の内周に接触しているので、振動等の外的負荷の影響をさらに抑制することができる。
【００７２】
（取付具３１の変形例）
図２０は、取付具３１の変形例を示す図である。
取付具３１の延設部３６は、両側に延設曲げ部３７を有する。
取付具３１の延設部３６は、端部に端曲げ部３８を有する。
延設曲げ部３７と端曲げ部３８とは、隙間３９を有する。
図２０の取付具３１がサイズの小さい表示装置１に固定される場合、隙間３９に十字状リブ２３３を挿入して延設曲げ部３７と端曲げ部３８とを筒部２４の内部空間に配置する。
図２０の取付具３１がサイズの大きい表示装置１に固定される場合、延設曲げ部３７と端曲げ部３８とを凹部２１４に配置する。
延設曲げ部３７と端曲げ部３８とのいずれか一方のみ存在してもよい。
図２０の取付具３１は、延設曲げ部３７又は端曲げ部３８があるので、延設部３６の剛性が向上し、振動等の外的負荷の影響を抑制した構造を提供することができる。
図２０の取付具３１の延設部３６が、図１９に示すように、筒部２４の中空部分全体を覆う形状をしている場合は、延設部３６の外周と延設曲げ部３７又は端曲げ部３８の外壁とが筒部２４の内周に接触しているので、振動等の外的負荷の影響をさらに抑制することができる。
【００７３】
（光源部８の構成）
図２１は、光源部８の斜視図である。
図２２は、光源部８の五面図である。（ａ）、（ｂ）、（ｃ）、（ｄ）、（ｅ）は、それぞれ正面図、上面図、底面図、左側面図、右側面図である。
図２３は、光源モジュール８５１を光源８５５側から見た図である。
【００７４】
図２１に示すように、光源部８は光源モジュール８５１（光源実装基板）と、光源モジュール８５１を保持する基板ホルダ８０１とを備える。
図２２に示すように、光源モジュール８５１は、実装面に光源８５５が実装された板状体である。
光源モジュール８５１は、基板８５４、光源８５５（例えばＬＥＤ）及び電気的接続部８５６から構成される。
基板８５４には穴８５７が形成されている。
【００７５】
（基板ホルダ８０１）
基板ホルダ８０１の材質は、ＰＣ樹脂、あるいはＡＢＳ樹脂、あるいはＡＥＳ樹脂、あるいはそれらのアロイ材等が用いられる。
【００７６】
（基板８５４）
基板８５４の材質は、アルミニウム、ガラスエポキシ樹脂、紙フェノール樹脂等が用いられる。
図２３に示すように、基板８５４は略長方形形状（Ｌ字形状）をしている。電気的接続部８５６の部分がＬ字の下の部分に相当する。電気的接続部８５６はコネクタ８２を有する。
また、基板８５４には穴８５７が設けられている。穴８５７は、ネジ等で別部材への締結に使用されたり、位置決め突起との係合等に利用することが可能である。
【００７７】
（基板ホルダ８０１）
図２１に示すように、基板ホルダ８０１には基板８５４を取り付けるための表面保持部８０７ａ、裏面保持部８０７ｂ、脱落防止片８１０（抜け防止部）、光源モジュール位置決め突起８１２が設けられている。
表面保持部８０７ａは、板状体であって、一方の面の少なくとも一部が、取り付けられた光源モジュール８５１の実装面に当接する。
裏面保持部８０７ｂは、板状体であって、一方の面の少なくとも一部が、取り付けられた光源モジュール８５１の裏面に当接する。
光源モジュール８５１は、表面保持部８０７ａの一方の面と、裏面保持部８０７ｂの一方の面とによって挟まれることで、基板ホルダ８０１に対して固定される。つまり、光源モジュール８５１（基板８５４）は、表面保持部８０７ａの一方の面と、裏面保持部８０７ｂの一方の面とによって挟まれ押し圧されることで、基板ホルダ８０１に対して固定される。
また、基板ホルダ８０１の側面には、光源部８を別部材に固定する為の、上部係合部８３０、係合爪８２９及び係合突起８２８が設けられている。これら上部係合部８３０、係合爪８２９及び係合突起８２８は、左右の対称位置に設けられている。
【００７８】
基板ホルダ８０１は、光源モジュール８５１の電気的接続部８５６が配置される近傍に電気的接続部８５６を保護する為の保護壁８１４を有しており、電気的接続部８５６に側面（端部）方向からの力がかからない構成としている。
【００７９】
基板ホルダ８０１には光源モジュール位置決め突起８１２が設けられており、光源モジュール８５１の横方向（長手方向）への移動を規制している。これによって、光源モジュール８５１の基板ホルダ８０１への横方向の取付位置が決まる。
【００８０】
光源モジュール８５１の基板８５４は、上記のように略長方形形状である。基板８５４は、表面保持部８０７ａの一方の面と、裏面保持部８０７ｂの一方の面との間に対して、スライド方向が略長方形形状の短手方向となるようにスライドさせることで、基板ホルダ８０１に取り付けられる。
脱落防止片８１０は、上方向に弾性変形することができ、基板８５４が挿入された後に変形が戻ることで、光源モジュール８５１の側面端部に係合する。脱落防止片８１０は、基板８５４が挿入された後に、基板８５４（光源モジュール８５１）が表面保持部８０７ａと裏面保持部８０７ｂとから抜けることを防止する。
【００８１】
（光源部８の係合関係）
図１２に示すように、本体２の本体側部２９は、係合部２４２を有する。
係合部２４２は、筒部２４のサイドに形成されている。
（１）光源部８のコネクタ８２は、筒側部２４１に配置されたコネクタ２８に係合する。
（２）光源部８の係合爪８２９は、本体上部２１の係合部２４２に係合する。
（３）光源部８の上部係合部８３０の先端が本体上部２１の筒側部２４１に当接して、光源部８の凸部８１が筒側部２４１が配置された窪みに係合する。
（４）係合突起８２８と表示部９の図示していない係合部とが係合する。
【００８２】
上記（１）から（４）の係合場所は全て筒部２４で、あるいは、筒部２４の近傍である。十字状リブ２３３により筒部２４の強度が増せば、上記（１）から（４）の係合が外れにくくなる。
【００８３】
（表示装置１の取り付け構造）
以下、表示装置１の取り付け構造の特徴を説明する。
表示装置１は、本体２と、天井等の上部にある被取付部に本体２を固定する取付具３１とを備える。
本体２は、壁等の被取付部に取り付けられる本体面２２を有する。
本体２は、内部に空間がある筒部２４を両端に有する。
本体２は、上部にある被取付部に固定される本体上部２１を有する。
本体２は、本体上部２１に凹部２１４を有し、取付具３１は、略コ字状の断面を有するコ字部３５と、コ字部３５の端部から延設された延設部３６とを有する。
コ字部３５が凹部２１４に嵌めこまれ、延設部３６が本体上部２１に接触して、取付具３１が本体２に取り付けられる。
【００８４】
表示装置１は、本体２の内側に配置された補助金具３を有し、補助金具３は、保持壁２６０と電源端子台６との間に、立壁３０６を有し、立壁３０６は、電源端子台６をひっかける爪３０７を有する。爪３０７は、電源端子台６の側面にある凹部にはまり込み電源端子台６が抜けることを防止する。立壁３０６と爪３０７とにより電源端子台６を本体２に堅固に取り付けることができる。
電源端子台６を本体２から外すときは、工具を用いて爪３０７を電源端子台６の側面にある凹部から外すことになる。
電源端子台６は、ネジ等の固定具を用いないで、本体２に確実に取り付けられる。
【００８５】
本体固定ネジ用穴３１５は、延設部３６に形成されている。
【００８６】
本体固定ネジ用穴３１５は、本体固定ネジ３１１を着脱可能に取り付ける。
本体固定ネジ用穴３１５は、本体固定ネジ３１１を嵌め込んで又は圧入して、本体固定ネジ３１１を離脱困難に固定していてもよい。
【００８７】
筒部２４は、空間にリブ２３を有する。
【００８８】
筒部２４は、本体上部２１の両端に形成されている。
【００８９】
筒部２４は、四角柱をしており、リブは、上方向から見た形状が、十字状、Ｘ字形、井桁形、菱形、丸型形、又は、半円形のリブである。
【００９０】
筒部２４は、外壁となる筒側部２４１に、光源部８等の他の部品を取り付けており、筒部２４は、表示装置１に振動が加わった場合に、負荷がかかる部分である。
【００９１】
表示装置１は、電源端子台６を備え、本体２は、電源端子台６を着脱自在に取り付ける保持壁２６０を有する。
【００９２】
保持壁２６０は、電源端子台６を隣接して二個又は三個以上複数取り付ける空間を有している。
【００９３】
本体２は、電源端子台６の底面を載せる本体面２２を有し、保持壁２６０は、電源端子台６の底面以外の五面の各面の少なくとも一部を押さえる五個の壁を有する。
五個の壁は、電源端子台６を本体面２２に対して斜め方向から着脱することができる空間を提供するとともに、五個の壁のみで電源端子台６を固定する。
本体２は、電源端子台６を保持壁２６０（五個の壁）の間に嵌め込んで又は圧入して、電源端子台６を離脱困難に固定してもよい。
【００９４】
表示装置１は、本体２の内側に配置された補助金具３を有し、補助金具３は、保持壁２６０と電源端子台６との間に、立壁３０６を有し、立壁３０６は、電源端子台６をひっかける爪３０７を有する。
【００９５】
表示装置１は、本体２の内部に設けられ、電池を保持する電池保持部４１４と、本体２の内部に設けられ、電池とはサイズが異なる電池を配置する電池配置部４１５とを備える。
表示装置１は、電池保持部４１４と電池配置部４１５のいずれかに電池を取り付ける。
【００９６】
表示装置１は、本体２の内部に設けられ、電池から電力の供給を受けるコントロールユニット４を備え、電池保持部４１４は、コントロールユニット４の外郭側面に形成され、電池の周囲を囲み電池を収納する壁状部４１４２を有する。壁状部４１４２は、電池を引っ掛ける爪部４１４３を有する
【００９７】
本体２は、本体面２２と本体側部２９とを有し、電池配置部４１５は、本体面２２に形成された上壁４１５１と、内横壁４１５２と、下壁４１５３と、本体側部２９に形成された押さえ部４１５４とを有する。
【００９８】
壁状部４１４２は、本体面２２に対向する箇所に切り欠き部４１４１を有し、本体面２２と切り欠き部４１４１の間に電池の一部を収納する。
本体２と切り欠き部４１４１の間に空間ができ、大きいサイズの電池を収納することが可能となる。
【００９９】
本体面２２は、水平方向に対となっている取付穴本体面取付穴２２２を上下方向に二対又は三対以上有する。
三対以上の取付穴（本体面取付穴２２２）のいずれかを用いて本体２を被取付部に取り付ける。
【０１００】
本体２は、対となっている取付穴（本体面取付穴２２２）の間に、電線ケーブルを通す本体面電源穴２２１を有し、
本体面電源穴２２１は、上下方向に隣り合う二対以上の取付穴本体面取付穴２２２に対応して、一個設けられている。
【０１０１】
本体面電源穴２２１は、三本の電線を有する電線ケーブルを二本通すことができる穴サイズを有する。
【０１０２】
対となっている取付穴（本体面取付穴２２２）と１対１に対応付けて、電線ケーブルを二本通すことができる穴サイズの本体面電源穴２２１を設けようとしても、本体面電源穴２２１が上下方向に個別に形成できない場合がある。この場合には、二対以上の取付穴に対応して本体面電源穴２２１を一個設ける。
【０１０３】
表示装置１は、開口を有する本体２と、外部からアクセスされるアクセス部４１６を有するコントロールユニット４とを備える。
アクセス部４１６を本体２の開口部２５１の開口から露出させて、コントロールユニット４を本体２に取り付ける。
アクセス部４１６は、モニタ部４１７及びスイッチ部４１８を有する。
モニタ部４１７及びスイッチ部４１８はコントロールユニット４の一面に配設され、本体２の一側面である本体下部２５に設けられた一つの開口部２５１の開口より外部より操作及び視認可能となっている。
【０１０４】
コントロールユニット４は、基板４２と、
基板４２の実装面と垂直な方向に操作することで動作するスイッチ４２１と、
基板４２の実装面と平行方向に操作することで、スイッチ４２１を動作させるスイッチ釦４１３とを有する。
アクセス部４１６は、スイッチ釦４１３を露出させる操作穴４１１を有する。
【０１０５】
スイッチ釦４１３は、操作部４１３２と軸部４１３１と押圧部４１３３を有している。
コントロールユニット４は、操作部４１３２が基板４２の実装面と平行方向に操作されると押圧部４１３３が基板４２の実装面と垂直な方向にスイッチ４２１を操作することができるように、軸部４１３１を中心として回転可能にスイッチ釦４１３を取り付けている。
【０１０６】
コントロールユニット４は、内部にモニタとなる発光素子４２２を有する。
アクセス部４１６は、モニタを外部から視認させるモニタ穴４１２を有し、モニタ穴４１２の形状は長円状である。
【０１０７】
（表示装置１の製造方法と取り付け方法）
以下、表示装置１の製造方法と取り付け方法の特徴を説明する。
【０１０８】
本体２を製造する。本体２を製造する際に、以下を形成する。
壁等の被取付部に取り付けられる本体面２２を形成する。
天井等の被取付部に取り付けられる本体上部２１を形成する。
本体２の本体上部２１の両端に、空間がある筒部２４を形成する。
筒部２４の空間には、リブ２３を形成する。
本実施の形態の本体２の取り付け方法は、被取付部に取り付ける取付具にリブを接触させて、取付具に本体を取り付ける。
【０１０９】
本体２の本体下部２５に、開口部２５１を形成する。
本体２の内部に、電源端子台６を二個以上配置する空間がある設置部２６を形成する。
【０１１０】
本実施の形態の電源端子台の取り付け方法は、設置部２６に電源端子台６を一個取り付ける場合と、設置部２６に電源端子台６を二個以上取り付ける場合とのいずれかを選択し、選択した個数だけ電源端子台６を設置部２６に取り付ける。
【０１１１】
本体２の内部に、電池を保持する電池保持部４１４を形成する。
本体２の内部に、電池保持部４１４が保持する電池とサイズが異なる電池を配置する電池配置部４１５を形成する。
本実施の形態の電池の取り付け方法は、電池保持部４１４と電池配置部４１５のいずれかに電池を取り付けるかを選択し、選択した場所に電池に取り付ける。
【０１１２】
本体面２２に、水平方向に対となっている取付穴を上下方向に一対又は複数対形成する。
対となっている取付穴に対応して一個の電源穴を形成する。あるいは、複数対の取付穴のなかの上下方向に隣り合う二対以上の取付穴に対応して一個の電源穴を形成する。
本実施の形態の本体２の取り付け方法は、本体面２２の電源穴を用いて、本体２を壁等の被取付部に取り付ける。
【０１１３】
コントロールユニット４を製造する。コントロールユニット４を製造する際に、以下のようにする。
予めスイッチ４２１とモニタ（発光素子４２２）とを実装した基板４２を製造しておく。
スイッチ４２１は基板４２の実装面と垂直な方向に操作することで動作するように実装する。
コントロールユニット４のユニットケース４１に、表示装置１の外部からアクセスされるアクセス部４１６を形成する。
アクセス部４１６には、円形の操作穴４１１と長円形状のモニタ穴４１２とを形成する。
【０１１４】
コントロールユニット４のユニットケース４１に、基板４２の実装面と平行方向に操作することで、スイッチ４２１を動作させるスイッチ釦４１３を２個取り付ける。
コントロールユニット４のユニットケース４１に、操作部４１３２が基板４２の実装面と平行方向に操作されると押圧部４１３３が基板４２の実装面と垂直な方向にスイッチ４２１を操作することができるように、軸部４１３１を中心として回転可能にスイッチ釦４１３を取り付ける。その際、アクセス部４１６の操作穴４１１から、スイッチ釦４１３の操作部４１３２を露出させる。
コントロールユニット４のユニットケース４１の内部に、基板４２の実装面が上下方向になるように基板４２を取り付ける。
コントロールユニット４のユニットケース４１に、絶縁板４３を取り付ける。
【０１１５】
本実施の形態のコントロールユニットの取り付け方法は、アクセス部４１６を本体２の開口部２５１から露出させて、コントロールユニット４を本体２に取り付ける。
【０１１６】
（表示装置１を天井等の上部の被取付部に取り付ける場合）
本実施の形態の取付具の取り付け方法は、取付具３１の複数の本体固定ネジ用穴３１５の中から、本体２のサイズに応じて、本体固定ネジ用穴３１５を選択し、選択した本体固定ネジ用穴３１５に本体固定ネジ３１１を通す。
あるいは、本体２のサイズに応じて本体固定ネジ用穴３１５に本体固定ネジ３１１が固定された複数種類の取付具３１を予め製造しておき、複数種類の取付具３１から本体２のサイズに対応する取付具３１を選択する。
天井固定用穴３１４を介して天井等の被取付部に木ネジ等の固定部品をねじ込んで取付具３１を天井等の被取付部に固定し、本体固定ネジ３１１にナットを装着した状態で本体２のダルマ穴にナットを通し、ナットを締めつけることにより、本体２を取付具３１に固定する。
【０１１７】
本実施の形態の取り付け構造、取り付け方法は、表示装置１だけでなく、照明装置その他に電子機器にも適用することができ、天井又は壁等の被取付部に取り付けられる筐体又は器具を有する物体にも適用することができる。
【０１１８】
以上、複数の構成について説明したが、これらの構成のうち、二つ以上の構成を組み合わせて実施しても構わない。あるいは、これらの構成のうち、一つの構成又は二つ以上の構成の組み合わせを部分的に実施しても構わない。なお、本発明は、実施の形態に限定されるものではなく、必要に応じて種々の変更が可能である。
【符号の説明】
【０１１９】
１  表示装置、２  本体、２１  本体上部、２１１  上部電源穴、２１２  上部取付穴、２１３  縁壁、２１４  凹部、２１５  溝部、２２  本体面、２２１  本体面電源穴、２２２  本体面取付穴、２２４  電池台、２３  リブ、２３２  穴周囲リブ、２３３  十字状リブ、２３４  内リブ、２４  筒部、２４１  筒側部、２４２  係合部、２５  本体下部、２５１  開口部、２６  設置部、２６０  保持壁、２６１  内壁、２６１１  庇壁、２６１２  結線穴、２６２  上壁、２６３  外壁、２６４  下壁、２６５  横張り壁、２６６  仕切り板、２８  コネクタ、２９  本体側部、３  補助金具、３０１  金具平部、３０２  金具側部、３０３  金具上部、３０４  金具側部、３０５  金具下部、３０６  立壁、３０７  爪、３０８  開口部、３０９  露出孔、３１  取付具、３１１  本体固定ネジ、３１２  ナット、３１３  電源挿入用穴、３１４  天井固定用穴、３１５  本体固定ネジ用穴、３２  曲げ部、３３  平部、３５  コ字部、３６  延設部、３７  延設曲げ部、３８  端曲げ部、３９  隙間、４  コントロールユニット、４１  ユニットケース、４１１１  ユニット表部、４１１２  ユニット側部、４１１３  ユニット上部、４１１４  ユニット側部、４１１５  ユニット下部、４１１６  端子押さえ部、４１１７  端子配置部、４１１８  端子配置部、４１１９  スイッチ配置部、４１１  操作穴、４１２  モニタ穴、４１３  スイッチ釦、４１３１  軸部、４１３２  操作部、４１３３  押圧部、４１４  電池保持部、４１４１  切り欠き部、４１４２  壁状部、４１４３  爪部、４１５  電池配置部、４１５１  上壁、４１５２  内横壁、４１５３  下壁、４１５４  押さえ部、４１５５  引っかけ壁、４１６  アクセス部、４１７  モニタ部、４１８  スイッチ部、４２  基板、４２１  スイッチ、４２２  発光素子、４３  絶縁板、４４  電源端子部、４５  バッテリー端子部、４６  光源用端子部、４７  リセットスイッチ、４８  点検スイッチ部、４８１  充電モニタ、４８２  ランプモニタ、４８３  自己点検モニタ、４８４  点検スイッチ、４８５  自己点検スイッチ、４８６  赤外線受光部、５  蓄電池、５Ａ  蓄電池、６，６ａ，６ｂ  電源端子台、６１  入力電線挿入部、６２  出力電線挿入部、６３，６４  電線、６５  足、７  光源ハーネス、８  光源部、８１  凸部、８２  コネクタ、８０１  基板ホルダ、８０７ａ  表面保持部、８０７ｂ  裏面保持部、８１０  脱落防止片、８１２  光源モジュール位置決め突起、８２８  係合突起、８２９  係合爪、８３０  上部係合部、８５１  光源モジュール、８５４  基板、８５５  光源、８５６  電気的接続部、８５７  穴、９  表示部。
【図１】
2020119796.tif 000003
【図２】
2020119796.tif 000004
【図３】
2020119796.tif 000005
【図４】
2020119796.tif 000006
【図５】
2020119796.tif 000007
【図６】
2020119796.tif 000008
【図７】
2020119796.tif 000009
【図８】
2020119796.tif 000010
【図９】
2020119796.tif 000011
【図１０】
2020119796.tif 000012
【図１１】
2020119796.tif 000013
【図１２】
2020119796.tif 000014
【図１３】
2020119796.tif 000015
【図１４】
2020119796.tif 000016
【図１５】
2020119796.tif 000017
【図１６】
2020119796.tif 000018
【図１７】
2020119796.tif 000019
【図１８】
2020119796.tif 000020
【図１９】
2020119796.tif 000021
【図２０】
2020119796.tif 000022
【図２１】
2020119796.tif 000023
【図２２】
2020119796.tif 000024
【図２３】
2020119796.tif 000025